(57)【要約】【課題】簡単な構成で、ロッドを円滑かつ正確に直線摺動させ、部品コストを低減し、組み立てやメンテナンスが容易となるとともに、多様な形態の用途で使用できる直線作動機を提供すること。【解決手段】直線駆動機構を内包するハウジング１１０に連結された外筒１２０内に配置され軸方向に移動可能なロッド１２０を、外筒１２０の端部に配置されたロッドガイド１４０により摺動可能に支持する直線作動機１００において、ロッドガイド１４０がロッド１３０と直接摺動する摺動面を有する単一の材料からなること。【選択図】図３
2011075020.tif 000002
【特許請求の範囲】
【請求項１】
直線駆動機構を内包するハウジングと、該ハウジングに連結された外筒と、該外筒内に配置され前記直線駆動機構により軸方向に移動可能なロッドと、前記外筒の端部に配置され前記ロッドを摺動可能に支持するロッドガイドとを有する直線作動機において、
前記ロッドガイドが、前記ロッドと直接摺動する摺動面を有する単一の材料からなることを特徴とする直線作動機。
【請求項２】
前記ロッドガイドが、前記外筒の端部の内周面に螺合される雄ネジ部を有する挿入部と、前記外筒の内周面より大きな外形を有し外筒端部から突出して端面で係止されるフランジ部とを有することを特徴とする請求項１に記載の直線作動機。
【請求項３】
前記ロッドガイドが、樹脂からなることを特徴とする請求項１または請求項２に記載の直線作動機。
【請求項４】
前記ロッドガイドが、少なくとも前記ロッドとの摺動部に含油性の表面を有する金属材料からなることを特徴とする請求項１または請求項２に記載の直線作動機。
【請求項５】
前記外筒が、外形を矩形に形成され前記ロッドガイド側の端面の四隅の近傍にネジ穴を有し、
前記ロッドガイドのフランジ部が、前記外筒の端面のネジ穴を覆わない外形に形成されていることを特徴とする請求項２乃至請求項４のいずれかに記載の直線作動機。
【発明の詳細な説明】
【技術分野】
【０００１】
本発明は、直線駆動機構により軸方向に移動可能なロッドを有し、ロッド先端に取り付けられる部材を直線的に移動させる直線作動機に関するものである。
【背景技術】
【０００２】
従来、直線作動機として、直線駆動機構を内包するハウジングと、ハウジングに連結された外筒と、外筒内に配置され直線駆動機構により軸方向に移動可能なロッドと、外筒の端部に配置されロッドを摺動可能に支持するロッドガイドとを有するものが公知である。
【０００３】
公知の直線作動機５００は、図４、図５に示すように、ロッド５３０が、外形が矩形の外筒５２０内に配置され、外筒５２０の端部に配置されたロッドガイド５４０に摺動支持されて直線駆動機構（図示せず）のネジ軸５５１の回転によって軸方向に進退移動可能に構成されている。
【０００４】
ロッドガイド５４０は、外筒５２０の端部の内周面に挿入される挿入部５４５と、外筒５２０と同一の矩形形状で四隅の近傍に取付孔５４２が設けられたフランジ部５４４を有しており、また、内周面にロッド５３０と摺動する含油メタル５４１およびシール５４６部材を備えている。
【０００５】
そして、ロッドガイド５４０は、取付ボルト５４３をフランジ部５４４の取付孔５４２を貫通して外筒５２０の端面のネジ穴５２１に螺合することにより外筒５２０に固定されて、ロッド５３０を軸方向のみ摺動可能に支持している（例えば、特許文献１参照。）。
【先行技術文献】
【特許文献】
【０００６】
【特許文献１】特開２００５−３６８９９号公報（第４頁、図１７、図１８）
【発明の概要】
【発明が解決しようとする課題】
【０００７】
しかしながら、この公知の直線作動機５００は、ロッド５３０と摺動する含油メタル５４１が別部材としてロッドガイド５４０の内周面に固定する必要があった。
【０００８】
また、ロッドガイド５４０が、取付ボルト５４３をフランジ部５４４の取付孔５４２を貫通して外筒５２０の端面のネジ穴５２１に螺合することにより外筒５２０に固定されるため、組み立てやメンテナンスの際の取り付け、取り外しの工数が増加するとともに、外筒５２０の端面にロッドガイド５４０以外の部材を取り付けることができず、直線作動機５００の取付場所、取付方法に制限が発生するという問題があった。
【０００９】
本発明は、前述したような従来技術の問題を解決するものであって、すなわち、本発明の目的は、簡単な構成で、ロッドを円滑かつ正確に直線摺動させ、部品コストを低減し、かつ、組み立てやメンテナンスを容易にするとともに、多様な形態の用途で使用できる直線作動機を提供することである。
【課題を解決するための手段】
【００１０】
本請求項１に係る発明は、直線駆動機構を内包するハウジングと、該ハウジングに連結された外筒と、該外筒内に配置され前記直線駆動機構により軸方向に移動可能なロッドと、前記外筒の端部に配置され前記ロッドを摺動可能に支持するロッドガイドとを有する直線作動機において、前記ロッドガイドが、前記ロッドと直接摺動する摺動面を有する単一の材料からなることにより、前記課題を解決するものである。
【００１１】
本請求項２に係る発明は、請求項１に記載された直線作動機の構成に加えて、前記ロッドガイドが、前記外筒の端部の内周面に螺合される雄ネジ部を有する挿入部と、前記外筒の内周面より大きな外形を有し外筒端部から突出して端面で係止されるフランジ部とを有することにより、前記課題をさらに解決するものである。
【００１２】
本請求項３に係る発明は、請求項１または請求項２に記載された直線作動機の構成に加えて、前記ロッドガイドが、樹脂からなることにより、前記課題をさらに解決するものである。
【００１３】
本請求項４に係る発明は、請求項１または請求項２に記載された直線作動機の構成に加えて、前記ロッドガイドが、少なくとも前記ロッドとの摺動部に含油性の表面を有する金属材料からなることにより、前記課題をさらに解決するものである。
【００１４】
本請求項５に係る発明は、請求項２乃至請求項４のいずれかに記載された直線作動機の構成に加えて、前記外筒が、外形を矩形に形成され前記ロッドガイド側の端面の四隅の近傍にネジ穴を有し、前記ロッドガイドのフランジ部が、前記外筒の端面のネジ穴を覆わない外形に形成されていることにより、前記課題をさらに解決するものである。
【発明の効果】
【００１５】
本請求項１に係る発明の直線作動機は、直線駆動機構を内包するハウジングと、該ハウジングに連結された外筒と、該外筒内に配置され直線駆動機構により軸方向に移動可能なロッドと、外筒の端部に配置されロッドを摺動可能に支持するロッドガイドとを有する直線作動機において、ロッドガイドがロッドと直接摺動する摺動面を有する単一の材料からなることにより、簡単な構成で、ロッドを円滑かつ正確に直線摺動させることができ、部品コストを低減することができる。
【００１６】
本請求項２に係る発明の直線作動機は、請求項１に係る直線作動機が奏する効果に加えて、ロッドガイドが外筒の端部の内周面に螺合される雄ネジ部を有する挿入部と、外筒の内周面より大きな外形を有し外筒端部から突出して端面で係止されるフランジ部とを有することにより、簡単な構成で、組み立てやメンテナンスを容易にすることができる。
【００１７】
本請求項３に係る発明の直線作動機は、請求項１または請求項２に係る直線作動機が奏する効果に加えて、ロッドガイドが樹脂からなることにより、さらに簡単な構成で、組み立てやメンテナンスを容易にすることができる。
【００１８】
本請求項４に係る発明の直線作動機は、請求項１または請求項２に係る直線作動機が奏する効果に加えて、ロッドガイドが少なくとも前記ロッドとの摺動部に含油性の表面を有する金属材料からなることにより、さらに簡単な構成で、組み立てやメンテナンスを容易にすることができる。
【００１９】
本請求項５に係る発明の直線作動機は、請求項２乃至請求項４のいずれかに係る直線作動機が奏する効果に加えて、外筒が外形を矩形に形成されロッドガイド側の端面の四隅の近傍にネジ穴を有し、ロッドガイドのフランジ部が外筒の端面のネジ穴を覆わない外形に形成されていることにより、簡単な構成で、外筒の端面にロッドガイド以外の部材を取り付けることが可能となり、多様な形態の用途で使用することができる。
【図面の簡単な説明】
【００２０】
【図１】本発明の一実施例である直線作動機の斜視図。
【図２】本発明の一実施例である直線作動機の一部断面側面図。
【図３】図２の一部拡大図。
【図４】本発明の一実施例である直線作動機の正面図。
【図５】従来の直線作動機の一部拡大図。
【図６】従来の直線作動機の正面図。
【発明を実施するための形態】
【００２１】
本発明の直線作動機は、直線駆動機構を内包するハウジングと、該ハウジングに連結された外筒と、該外筒内に配置され直線駆動機構により軸方向に移動可能なロッドと、外筒の端部に配置されロッドを摺動可能に支持するロッドガイドとを有する直線作動機において、ロッドガイドがロッドと直接摺動する摺動面を有する単一の材料からなり、簡単な構成で、ロッドを円滑かつ正確に直線摺動させることができ、部品コストを低減することができ、組み立てやメンテナンスが容易となるとともに、多様な形態の用途で使用できるという効果を発揮するものであれば、その具体的な実施態様は如何なるものであっても何ら構わない。
【実施例】
【００２２】
以下に、本発明の直線作動機の実施例について、図面に基づいて説明する。
本発明の一実施例である直線作動機１００は、図１乃至図３に示すように、ロッド１３０が、外形が矩形の外筒１２０内に配置され、外筒１２０の端部に配置されたロッドガイド１４０に摺動支持されてハウジング１１０に内包された直線駆動機構（図示せず）のネジ軸１５１の回転によって軸方向に進退移動可能に構成されている。
ネジ軸１５１はモータ１０１によって回転駆動される。
【００２３】
ロッドガイド１４０は単一の材料からなり、外筒１２０の端部の内周面に挿入される挿入部１４５と、外筒１２０の内周面より大きな外形を有し外筒１２０端部から突出して端面で係止されるフランジ部５４４を有している。
【００２４】
ロッドガイド１４０の挿入部１４５の外周面には雄ネジ部が形成され、外筒１２０の内周面に螺合することにより外筒１２０に固定されるとともに、ロッドガイド１４０の内周面にはロッド１３０と直接接触する摺動面が形成され、ロッド１３０を軸方向のみ摺動可能に支持している。
【００２５】
また、ロッドガイド１４０の内周面の摺動面の先端側にはシール１４６部材が設けられている。
さらに、ロッドガイド１４０のフランジ部１４４は円筒状に形成されており、矩形の外筒１２０の端面の四隅の近傍に設けられたネジ穴１２１が覆われない形状に形成されている。
【００２６】
ロッドガイド１４０は単一の材料からなることにより、簡単な構成で、ロッド１３０を円滑かつ正確に直線摺動させることができ、部品コストを低減することができる。
【００２７】
ロッドガイド１４０はいかなる材料で形成しても良く、自己潤滑性を有する樹脂材料で形成すれば、製造が容易となるとともに、振動の減衰効果や断熱効果を付与することができ好適である。
また、摺動部に含油性の表面を有する金属材料としても良い。
【００２８】
また、ロッドガイド１４０が外筒１２０の内周面に直接螺合して固定されるため、組み立てやメンテナンスを容易にすることができる。
【００２９】
そして、ロッドガイド１４０のフランジ部１４４が外筒１２０の端面の四隅の近傍に設けられたネジ穴１２１を覆わない形状としたことにより、使用する用途、環境に応じて該ネジ穴１２１を利用して外筒１２０にロッドガイド１４０以外の様々な部材を取り付けることが可能となり、多様な形態の用途で使用することができる。
【００３０】
以上のように、本発明の直線作動機によれば、簡単な構成で、ロッドを円滑かつ正確に直線摺動させることができ、部品コストを低減することができ、組み立てやメンテナンスが容易となるとともに、多様な形態の用途で使用できるなど、その効果は甚大である。
【符号の説明】
【００３１】
１００、５００  ・・・直線作動機
１１０、５１０  ・・・ハウジング
１２０、５２０  ・・・外筒
１２１、５２１  ・・・ネジ穴
１３０、５３０  ・・・ロッド
１３１、５３１  ・・・先端取付部
１４０、５４０  ・・・ロッドガイド
５４１  ・・・含油メタル
５４２  ・・・取付孔
５４３  ・・・取付ボルト
１４４、５４４  ・・・フランジ部
１４５、５４５  ・・・挿入部
１４６、５４６  ・・・シール部材
１５１、５５１  ・・・ネジ軸
【図１】
2011075020.tif 000003
【図２】
2011075020.tif 000004
【図３】
2011075020.tif 000005
【図４】
2011075020.tif 000006
【図５】
2011075020.tif 000007
【図６】
2011075020.tif 000008